(57)【要約】【課題】本発明は、通路の曲がり角での干渉を抑制することができる燃料電池システムの筐体構造を提供することを目的とする。【解決手段】所定の通路幅ＴＷの通路９０に設けられた曲がり角９０ｃに沿って搬送されるとともに前記通路幅ＴＷより横幅が長い筐体１２ａを有した燃料電池システム１０の筐体構造であって、前記筐体１２ａの短手方向ＴＨ一方側の一面１２ｃにおける幅方向中央部２００を中心として前記通路幅ＴＷを半径Ｒとする仮想半円２０２を想定した際に、前記筐体１２ａが前記仮想半円２０２内に収まるように当該筐体１２ａの短手方向ＴＨ他方側における他面１２ｄの端の角部１２ｊが落とされた形状とされている燃料電池システムの筐体構造。【選択図】図４
2018160325.tif 000002
【特許請求の範囲】
【請求項１】
所定の通路幅の通路に設けられた曲がり角に沿って搬送されるとともに前記通路幅より横幅が長い筐体を有した燃料電池システムの筐体構造であって、
前記筐体の短手方向一方側の一面における幅方向中央部を中心として前記通路幅を半径とする仮想半円を想定した際に、前記筐体が前記仮想半円内に収まるように当該筐体の短手方向他方側における他面の端の角部が落とされた形状とされている燃料電池システムの筐体構造。
【請求項２】
前記他面の端の角部は、前記仮想半円内に収まるように面取りされた面取り形状である請求項１記載の燃料電池システムの筐体構造。
【請求項３】
前記他面の端の角部は、前記仮想半円内に収まるように丸められたＲ形状である請求項１記載の燃料電池システムの筐体構造。
【請求項４】
前記幅方向中央部を中心とした前記角部の曲率は、２．０以下である請求項３記載の燃料電池システムの筐体構造。
【請求項５】
前記通路幅は、５００ｍｍ以上であり、前記幅方向中央部を中心とした前記角部の曲率は、２．０以下である請求項３記載の燃料電池システムの筐体構造。
【発明の詳細な説明】
【技術分野】
【０００１】
本発明は、燃料電池システムの筐体構造に関する。
【背景技術】
【０００２】
従来、燃料電池モジュールを有する燃料電池システムが知られており（例えば、特許文献１参照）。この燃料電池モジュールの筐体内には、電気化学反応により発電する燃料電池が収容されている。
【０００３】
この燃料電池モジュールの筐体は、前面部材と、後面部材と、右面部材と、左面部材と、下面部材と、上面部材とによって形成されており、各部材は、矩形状に形成されている。これにより、燃料電池システムの筐体は、直方体形状に形成されている。
【先行技術文献】
【特許文献】
【０００４】
【特許文献１】特開２０１６−１３９４７０号公報
【発明の概要】
【発明が解決しようとする課題】
【０００５】
しかしながら、前述した燃料電池システムにあっては、例えば建物の外周部に形成された通路に配置することは考慮されておらず、設置場所に制約があった。
【０００６】
また、このような燃料電池システムを通路に設置する場合、搬入時に通路の曲がり角を通過させる必要が生じ得る。その際、筐体が曲がり角の壁面と干渉することがあり、搬入できない場合がある。
【０００７】
本発明は、このような事情に鑑みてなされたものであり、通路の曲がり角での干渉を抑制することができる燃料電池システムの筐体構造を提供することを目的とする。
【課題を解決するための手段】
【０００８】
第一態様では、所定の通路幅の通路に設けられた曲がり角に沿って搬送されるとともに前記通路幅より横幅が長い筐体を有した燃料電池システムの筐体構造であって、前記筐体の短手方向一方側の一面における幅方向中央部を中心として前記通路幅を半径とする仮想半円を想定した際に、前記筐体が前記仮想半円内に収まるように当該筐体の短手方向他方側における他面の端の角部が落とされた形状とされている。
【０００９】
すなわち、筐体は、一面の幅方向中央部を中心として通路幅を半径とする仮想半円内に収まるように他面の角部が落とされた形状とされている。
【００１０】
このため、筐体の一面の幅方向中央部を曲がり角の内側の角に接した状態あるいは近接した状態において、当該筐体を、幅方向中央部を中心として回動すれば、通路壁面に干渉することなく曲がり角を通過させることができる。
【００１１】
第二態様では、前記他面の端の角部は、前記仮想半円内に収まるように面取りされた面取り形状である。
【００１２】
すなわち、筐体の短手方向他方側の他面の角部は、面取りされ面取り形状とされており、当該筐体が仮想半円内に収まるように形成されている。
【００１３】
このため、筐体の幅寸法や奥行寸法を短くすることなく、曲がり角の通過を可能とすることができる。これにより、筐体サイズを維持しつつ、曲がり角での干渉を抑制することができる。
【００１４】
第三態様では、前記他面の端の角部は、前記仮想半円内に収まるように丸められたＲ形状である。
【００１５】
すなわち、筐体の短手方向他方側の他面の角部は、丸められＲ形状とされており、当該筐体が仮想半円内に収まるように形成されている。
【００１６】
このため、筐体の幅寸法や奥行寸法を短くすることなく、曲がり角の通過を可能とすることができる。これにより、筐体サイズを維持しつつ、曲がり角での干渉を抑制できる。
【００１７】
第四態様では、前記幅方向中央部を中心とした前記角部の曲率は、２．０以下である。
【００１８】
すなわち、通路の曲がり角を曲がる際に、筐体の長さ方向中心部を曲がり角内側の角に近接した状態で、当該中心部を中心として回動すれば、通路壁面に干渉することなく曲がり角を通過させることができ、狭い通路角であっても、搬入が容易となる。
【００１９】
第五態様では、前記通路幅は、５００ｍｍ以上であり、前記幅方向中央部を中心とした前記角部の曲率は、２．０以下である。
【００２０】
すなわち、通路幅が、５００ｍｍ以上の角部を含む通路への搬入に適している。
【発明の効果】
【００２１】
第一態様の燃料電池システムの筐体構造にあっては、通路の曲がり角での干渉を抑制することができる。
【図面の簡単な説明】
【００２２】
【図１】本発明の第一実施形態に係る燃料電池システムを示す斜視図である。
【図２】第一実施形態の燃料電池システムの筐体構造が適用された燃料電池ユニットを示す斜視図である。
【図３】第一実施形態の燃料電池システムを示すブロック図である。
【図４】第一実施形態の燃料電池ユニットと搬送される通路との関係を示す平面図である。
【図５】第二実施形態の燃料電池ユニットと搬送される通路との関係を示す平面図である。
【発明を実施するための形態】
【００２３】
（第一実施形態）
以下、第一実施形態に係る燃料電池システムを図１〜図４を参照しつつ説明する。
【００２４】
この燃料電池システム１０は、図１に示したように、燃料ガス及び水を用いて発電を行う蓄熱ユニット一体型の燃料電池ユニット１２と、燃料電池ユニット１２で加熱された上水を目的の温度まで加熱する給湯器ユニット１４とを備えている。
【００２５】
この燃料電池ユニット１２の筐体１２ａは、図１及び図２に示すように、短手方向ＴＨの奥行寸法より横幅方向である長手方向ＮＨの幅寸法が長い直方体形状に形成されている。長手方向ＮＨに位置する左側面１２ｅから右側面１２ｆまでの幅寸法をＷ１、底面１２ｇから天面１２ｈまでの高さ寸法をＨ１、短手方向ＴＨに位置する正面１２ｄから背面１２ｃまでの奥行寸法をＤ１とすると、奥行寸法Ｄ１より幅寸法Ｗ１が長い（Ｄ１＜Ｗ１）。
【００２６】
なお、燃料電池ユニット１２の正面１２ｄ及び背面１２ｃは、説明の都合上付した名称であり、表面の意匠性の違いや設置状態での向きを限定するものではない。また、燃料電池ユニット１２の左側面１２ｅ及び右側面１２ｆも、説明の都合上付した名称であり、表面の意匠性の違いや設置状態での向きを限定するものではない。
【００２７】
筐体１２ａの右側面１２ｆは、燃料電池側メンテナンス面１２ｂを構成している。ここで、メンテナンス面とは、保守点検を行う際にその一部または全部が開放される面を言う。燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンス（保守点検）が行える。
【００２８】
この燃料電池側メンテナンス面１２ｂには、排気部の一例である排気口１３が設けられている。また、燃料電池側メンテナンス面１２ｂには、配管および配線の接続作業を行うための配管・配線部１２ｉが設けられており、燃料電池ユニット１２に接続された配管や配線類が延出するように構成されている。なお、このようなメンテナンス面を、追加的に例えば天面１２ｈ、背面１２ｃ、正面１２ｄに設定しても良い。
【００２９】
給湯器ユニット１４は、図１に示したように、奥行寸法より幅寸法が長い直方体形状に形成されており、下側を構成する下部構成部１６と、上側を構成する給湯器本体１８と備えている。下部構成部１６としては、一例として据置台が挙げられる。
【００３０】
ここで、本実施形態では、給湯器本体１８の下部に据置台等の下部構成部１６を設けて給湯器本体１８を設置する場合について説明するが、これに限定されるものではない。例えば、給湯器本体１８を建物壁に据え付ける壁掛けタイプの場合、据置台等の下部構成部１６は不要となる。
【００３１】
下部構成部１６及び給湯器本体１８からなる給湯器ユニット１４の筐体１４ａは、横幅方向に位置する左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、奥行寸法Ｄ２より幅寸法Ｗ２が長い（Ｄ２＜Ｗ２）。
【００３２】
なお、給湯器ユニット１４の正面１４ｄ及び背面１４ｃは、説明の都合上付した名称であり、表面の意匠性の違いや設置状態での向きを限定するものではない。また、給湯器ユニット１４の左側面１４ｅ及び右側面１４ｆも、説明の都合上付した名称であり、表面の意匠性の違いや設置状態での向きを限定するものではない。
【００３３】
給湯器本体１８の筐体１８ａの右側面（給湯器ユニット１４の右側面１４ｆの上部）は、排気口を有する給湯器側メンテナンス面１８ｂを構成しており、給湯器側メンテナンス面１８ｂは、例えばフレームにヒンジを介して固定された扉構造や、周縁部がネジで固定された取り外し可能なパネル構造が挙げられる。これにより、給湯器側メンテナンス面１８ｂを開放することで、給湯器本体１８内部のメンテナンスが行える。
【００３４】
また、下部構成部１６の筐体１６ａの右側面（給湯器ユニット１４の右側面１４ｆの下部）も、例えばメンテナンス面１６ｂを構成しており、このメンテナンス面１６ｂは、例えばフレームにヒンジを介して固定された扉構造や、周縁部がネジで固定された取り外し可能なパネル構造が挙げられる。これにより、メンテナンス面１６ｂを開放することで、例えば給湯器本体１８に接続された配管等のメンテナンスが行える。
【００３５】
そして、給湯器ユニット１４の奥行寸法Ｄ２は、燃料電池ユニット１２の奥行寸法Ｄ１より短く設定されている。ここで、この給湯器ユニット１４としては、外形寸法がそれぞれ異なる標準タイプやスリムタイプやコンパクトタイプが用意されており、どのタイプの給湯器ユニット１４を利用しても良い。
【００３６】
燃料電池システム１０の燃料電池ユニット１２は、図３に示すように、発電を行う燃料電池モジュール２０を備えている。燃料電池モジュール２０は、ガス供給路２１を介して、ガス継手２２に接続されており、ガス継手２２には、ガス管２４が接続されている。ガス管２４からは炭化水素原料の一例であるメタンを主成分とする都市ガスまたはプロパン・ブタンを主成分に持つ液化石油ガスが燃料として供給される。ガス供給路２１には、脱硫部２６が設けられており、供給されるガスに含まれた硫黄分や硫黄化合物が脱硫部２６で除去されて燃料電池モジュール２０に供給される。なお、図２には、都市ガスを用いた場合が一例として挙げられている。
【００３７】
また、燃料電池モジュール２０は、供給ポンプ２８を有する改質水流入路３０を介して改質水タンク３２に接続されており、燃料電池モジュール２０には、改質水タンク３２に貯留された改質水が供給ポンプ２８で供給される。この燃料電池モジュール２０は、都市ガスまたは液化石油ガスと改質水とを改質反応させて水素等を生成する図外の改質器を備えている。
【００３８】
この燃料電池モジュール２０は、改質器で生成した水素とブロア２０ａで送られた空気中の酸素を利用して発電を行う図示しない発電部を備えている。燃料電池モジュール２０の発電部からの直流電力は、インバーター回路３８によって交流電力に変換された後、接続端子４０に接続された電源コード９２を介して外部へ供給される。
【００３９】
燃料電池モジュール２０には、改質や発電でガスを利用する際に発生した排ガスを排出する排出路３４が接続されている。排出路３４には、排気熱交換機３６が設けられており、排気熱交換機３６より下流側が改質水タンク３２に接続されている。燃料電池モジュール２０からの燃焼排ガスは、排気熱交換機３６で冷却され、含有した水蒸気が凝縮される。これにより、燃焼排ガスは、液体と気体とに分けられ、液体は改質水タンク３２へ送られて改質水として再利用される。また、気体は、図１に示したように、燃料電池側メンテナンス面１２ｂの排気口１３より排気される。
【００４０】
排気熱交換器３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００４１】
この供給路４２は、貯湯タンク４８の下部に接続されており、貯湯タンク４８の下部に貯留した伝熱媒体５０が優先的に排気熱交換機３６へ送られる。貯湯タンク４８から供給路４２に供給された伝熱媒体５０は、ラジエータ４６で冷却された後、熱回収ポンプ４４によって排気熱交換機３６へ送られる。なお、ラジエータ４６は、図示しないラジエータファンを備えており、供給される伝熱媒体５０が高温の際など必要に応じてファンモータを作動する。
【００４２】
排気熱交換器３６には、排出路５２が接続されており、排気熱交換器３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換器３６によって伝熱媒体５０へ移動され、この熱で加熱された伝熱媒体５０は、貯湯タンク４８の上部に戻される。この排気熱交換器３６や貯湯タンク４８等によって蓄熱ユニットが構成される。
【００４３】
貯湯タンク４８に貯留された伝熱媒体５０は、上水熱交換器５４及び加熱ポンプ５６を有した循環路５８を介して貯湯タンク４８へ戻される。加熱ポンプ５６は、貯湯タンク４８の伝熱媒体５０で上水を加熱する際に作動する。
【００４４】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００４５】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００４６】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００４７】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００４８】
流出路６６の混合弁７２より下流側は、出側継手７６に接続されており、出側継手７６は、出湯管７８を介して、給湯器ユニット１４の入水継手８０に接続されている。
【００４９】
給湯器ユニット１４のガス継手８２には、ガス管２４が接続されており、給湯器ユニット１４には、ガス管２４から都市ガスまたはプロパン・ブタンを主成分に持つ液化石油ガスが供給される。また、給湯器ユニット１４の給湯継手８４には、給湯管８６が接続されている。この給湯器ユニット１４は、都市ガスまたはプロパン・ブタンを主成分に持つ液化石油ガスを燃焼することで、入水継手８０より供給された上水を、図外のリモコンで設定された温度まで加熱し給湯管８６によって供給する。
【００５０】
なお、本実施形態では、燃料電池ユニット１２からのガス管２４と給湯器ユニット１４からのガス管２４とを互いに接続してガス供給源に接続する場合について説明したが、これに限定されるものではない。燃料電池ユニット１２からのガス管２４と給湯器ユニット１４からのガス管２４とを、それぞれ独立してガス供給源に接続してもよい。
【００５１】
この燃料電池ユニット１２及び給湯器ユニット１４は、図４示すように、例えば建物１１０の外周部に設けられた通路９０の曲がり角９０ｃを通過して搬送されるとともに、当該通路９０に設置される（設置状態は図示せず）。
【００５２】
ここで、通路９０の一側縁９０ａを構成する隣地境界線から通路９０の他側縁９０ｂを構成する建物１１０までの最小距離は、隣地境界線から建物１１０の外壁１１０ａまでの離間距離を定める法律（境界線付近の建物の制限：民法２３４条）によって定められている。
【００５３】
通路９０の一側縁９０ａを構成する隣地境界線は、隣接した敷地と敷地の境界の線を示し、通路９０の他側縁９０ｂは、建物１１０の外壁１１０ａとの境を示す。この通路９０は、隣地境界線と建物１１０の外壁１１０ａとの間に建物１１０に沿って形成された長さ方向Ｎに細長い領域を示す（例えば５００ｍｍ〜７３０ｍｍ）。この通路９０の通路幅ＴＷは、「境界線付近の建物の制限」によって、その最小距離が、５００ｍｍとされている。
【００５４】
本実施形態に係る燃料電池システムの筐体構造は、燃料電池ユニット１２に適用されており、燃料電池ユニット１２と、燃料電池ユニット１２が搬送される通路９０との関係を以下に示す。この通路９０には、直角に折れ曲がる曲がり角９０ｃが形成されている。
【００５５】
燃料電池ユニット１２の筐体１２ａは、幅寸法Ｗ１が通路幅ＴＷより長く設定されている。筐体１２ａにおける背面１２ｃの長手方向ＮＨ中心に位置する幅方向中央部２００を中心として通路幅ＴＷを半径Ｒとする仮想半円２０２を想定すると、筐体１２ａは、仮想半円２０２内に収まるとともに、当該筐体１２ａの正面１２ｄの端の正面側角部１２ｊが落とされた形状とされている。
【００５６】
さらに、前述の半径Ｒより短い半径Ｒａの仮想半円２０２ａを想定した場合、筐体１２ａの背面１２ｃは仮想半円２０２ａの中心を横切る直線上に配置され、筐体１２ａは、仮想半円２０２ａ内に収まるとともに、正面側角部１２ｊは、仮想半円２０２ａに接する形状とされている。
【００５７】
そして、筐体１２ａの正面１２ｄの端の正面側角部１２ｊは、仮想半円２０２より小径の仮想半円２０２ａ内に収まるように丸められており、正面側角部１２ｊには、平面視でＲ形状を成すＲ部１２ｋが形成されている。このＲ部１２ｋは、幅方向中央部２００を中心とした曲率Ｃが、２．０以下とされており（Ｃ≦２．０）、幅方向中央部２００からＲ部１２ｋまでの曲率半径をＲＫとすると、Ｒ部１２ｋの曲率Ｃ（１／ｍ）は、１／ＲＫで表される（Ｃ＝１／Ｒ１）。
【００５８】
一例として、具体的な寸法を挙げて説明すると、本実施形態で示した通路９０の通路幅ＴＷは、前述した「境界線付近の建物の制限」による最小距離である５００ｍｍよりやや長い、５５０ｍｍとされている（ＴＷ＝５５０ｍｍ）。燃料電池ユニット１２の筐体１２ａの幅寸法Ｗ１は、通路幅ＴＷ（５５０ｍｍ）より長い、８００ｍｍに設定されており、筐体１２ａの奥行寸法Ｄ１は、３５０ｍｍに設定されている。
【００５９】
また、仮想半円２０２の半径Ｒは、通路幅ＴＷと同寸法の、５５０ｍｍであり、筐体１２ａが収まるように想定された仮想半円２０２ａの半径Ｒａは、仮想半円２０２の半径Ｒ（５５０ｍｍ）より短い、５１４ｍｍとされている。
【００６０】
ここで、正面側角部１２ｊのＲ部１２ｋの曲率Ｃを示す曲率半径は、半径Ｒａで示され（ＲＫ＝Ｒａ）、曲率中心は、幅方向中央部２００で示される。また、曲率円の一部（半円部分）は、仮想半円２０２ａで示される。
【００６１】
なお、本実施形態では、正面側角部１２ｊのＲ部１２ｋの曲率Ｃが、１／Ｒａ＝１／０．５１４としたがこれに限定されるものでは無く、１．８〜２．０の範囲内であればよい。
【００６２】
次に、本実施形態の作用及び効果について説明する。燃料電池システムの筐体構造が適用された燃料電池ユニット１２を通路９０に沿って搬送するとともに、通路９０の曲がり角９０ｃを曲がる場合を例に挙げて説明する。
【００６３】
燃料電池ユニット１２を通路９０に搬入し通路９０の曲がり角９０ｃを通過させる際には、筐体１２ａの背面１２ｃの幅方向中央部２００を曲がり角９０ｃの内側の角に近接又は接して、当該筐体１２ａを、幅方向中央部２００を中心として回動する。
【００６４】
このとき、燃料電池ユニット１２の筐体１２ａは、一面の一例である背面１２ｃの幅方向中央部２００を中心として通路幅ＴＷを半径Ｒとする仮想半円２０２内に収まるように正面側角部１２ｊが落とされた形状とされている。
【００６５】
このため、通路９０の一側縁９０ａを構成する壁面に筐体１２ａの正面側角部１２ｊが干渉することなく、曲がり角９０ｃを通過させることができる。
【００６６】
したがって、通路９０の曲がり角９０ｃでの干渉を抑制することができる。これにより、燃料電池ユニット１２を、曲がり角９０ｃを通過させることができるので、通路９０に搬入して設置することができる。
【００６７】
また、筐体１２ａの正面側角部１２ｊは、丸められたＲ形状のＲ部１２ｋとされており、このＲ部１２ｋが仮想半円２０２より内側に形成されることで、当該筐体１２ａが仮想半円２０２内に収まるように構成されている。
【００６８】
このため、筐体１２ａの幅寸法をＷ１や奥行寸法Ｄ１を短くすることなく、曲がり角９０ｃの通過を可能とすることができる。これにより、筐体１２ａのサイズを維持しつつ、曲がり角９０ｃでの干渉を抑制できる。また、筐体１２ａの正面側角部１２ｊを面取り形状とする場合と比較して、角張り無くすことができ、外観品質が向上する。
【００６９】
筐体１２ａが他の部位と干渉した場合、干渉部位への傷つきを抑制することができる。
【００７０】
そして、燃料電池ユニット１２が設置される通路９０の通路幅ＴＷは、一例として５５０ｍｍであり、筐体１２ａの背面１２ｃの幅方向中央部２００を中心とした正面側角部１２ｊの曲率Ｃは、１．８〜２．０の範囲内に設定されている。これにより、通路幅ＴＷが、５５０ｍｍの通路９０への搬入に適した形状とされている。なお、通路幅ＴＷが、５５０ｍｍ以上通路９０であれば、搬入可能となり、通路幅ＴＷが、５５０ｍｍ以上７３０ｍｍ以下の通路９０への搬入に適している。
【００７１】
（第二実施形態）
図５は、第二実施形態を示す図である。図５には、第二実施形態に係る燃料電池ユニット１２と搬送される通路９０との関係が示されており、第一実施形態と同一又は同等部分については同符号を付して説明を割愛するとともに、異なる部分についてのみ説明する。
【００７２】
本実施形態に係る燃料電池ユニット１２は、筐体１２ａの正面側角部１２ｊが第一実施形態と異なり、燃料電池ユニット１２の筐体１２ａの正面側角部１２ｊは、仮想半円２０２より小径の仮想半円２０２ａ内に収まるようにＣ加工によって面取りが施されている。これにより、正面側角部１２ｊには、左側面１２ｅと正面１２ｄとの間、及び正面１２ｄと右側面１２ｆとの間に面取り形状の面取り部１２ｌが形成されている。また、左側面１２ｅの延長線と正面１２ｄとが成す角度α、及び右側面１２ｆの延長線と正面１２ｄとが成す角度αが４５度に設定されている。
【００７３】
なお、本実施形態では、左側面１２ｅの延長線と正面１２ｄとが成す角度α、及び右側面１２ｆの延長線と正面１２ｄとが成す角度αが４５度に設定されている場合を例に挙げて説明するが、これに限定されるものではない。左側面１２ｅの延長線と正面１２ｄとが成す角度α、及び右側面１２ｆの延長線と正面１２ｄとが成す角度αは、他の角度であっても良い。また、左側面１２ｅの延長線と正面１２ｄとが成す角度と、右側面１２ｆの延長線と正面１２ｄとが成す角度とが異なる角度であっても良い。
【００７４】
このような構成にあっても、筐体１２ａの幅寸法Ｗ１や奥行寸法Ｄ１を短くすることなく、曲がり角９０ｃの通過を可能とすることができる。これにより、筐体１２ａのサイズを維持しつつ、曲がり角９０ｃでの干渉を抑制することができる。
【００７５】
また、正面側角部１２ｊの中央部が外側に突出した湾曲状のＲ部１２ｋとされた場合と比較して、正面側角部１２ｊの外側への突出量を抑えることができ、干渉防止効果を高めることができる。
【００７６】
なお、本実施形態では、燃料電池システムの筐体構造を燃料電池ユニット１２に適用した場合を例に挙げて説明したが、これに限定されるものではなく、給湯器ユニット１４に適用してもよい。
【００７７】
また、本実施形態では、筐体１２ａが、仮想半円２０２ａ内に収まるように構成したが、これに限定されるものではなく、通路幅ＴＷを半径Ｒとする仮想半円２０２内に収まるようにすれば前述した効果を得ることができる。
【００７８】
具体的に、通路９０の通路幅ＴＷが「境界線付近の建物の制限」による最小距離である５００ｍｍの場合、筐体１２ａが半径５００ｍｍの仮想半円内に収まるように当該筐体１２ａの正面側角部１２ｊが落とされた形状とすればよい。
【００７９】
また、本実施形態では、筐体１２ａの正面側角部１２ｊのＲ部１２ｋにおいて、幅方向中央部２００を中心とした曲率Ｃを、１．８〜２．０の範囲内に設定したが、これに限定されるものではない。筐体１２ａは、その正面側角部１２ｊが仮想半円２０２内に収まるような曲率であればよい。
【符号の説明】
【００８０】
１０    燃料電池システム
１２    燃料電池ユニット
１２ａ  筐体
１２ｃ  背面
１２ｄ  正面
１２ｊ  正面側角部
１２ｋ  Ｒ部
１２ｌ  面取り部１２ｌ
９０    通路
９０ｃ  曲がり角
２００  幅方向中央部
２０２  仮想半円
２０２ａ  仮想半円
ＮＨ   長手方向
Ｒ     半径
Ｒａ   半径
ＴＨ   短手方向
ＴＷ   通路幅
【図１】
2018160325.tif 000003
【図２】
2018160325.tif 000004
【図３】
2018160325.tif 000005
【図４】
2018160325.tif 000006
【図５】
2018160325.tif 000007
【手続補正書】
【提出日】平成29年6月20日(2017.6.20)
【手続補正１】
【補正対象書類名】明細書
【補正対象項目名】０００８
【補正方法】変更
【補正の内容】
【０００８】
第一態様では、所定の通路幅の通路に設けられた曲がり角に沿って搬送されるとともに前記通路幅より横幅が長い直方体形状の筐体を有した燃料電池システムの筐体構造であって、前記筐体の短手方向一方側の一面における幅方向中央部を中心として前記通路幅を半径とする仮想半円を想定した際に、前記筐体が前記仮想半円内に収まるように当該筐体の短手方向他方側における他面の端の角部のみが落とされた形状とされている。
【手続補正２】
【補正対象書類名】特許請求の範囲
【補正対象項目名】全文
【補正方法】変更
【補正の内容】
【特許請求の範囲】
【請求項１】
所定の通路幅の通路に設けられた曲がり角に沿って搬送されるとともに前記通路幅より横幅が長い直方体形状の筐体を有した燃料電池システムの筐体構造であって、
前記筐体の短手方向一方側の一面における幅方向中央部を中心として前記通路幅を半径とする仮想半円を想定した際に、前記筐体が前記仮想半円内に収まるように当該筐体の短手方向他方側における他面の端の角部のみが落とされた形状とされている燃料電池システムの筐体構造。
【請求項２】
前記他面の端の角部は、前記仮想半円内に収まるように面取りされた面取り形状である請求項１記載の燃料電池システムの筐体構造。
【請求項３】
前記他面の端の角部は、前記仮想半円内に収まるように丸められたＲ形状である請求項１記載の燃料電池システムの筐体構造。
【請求項４】
前記幅方向中央部を中心とした前記角部の曲率は、２．０以下である請求項３記載の燃料電池システムの筐体構造。
【請求項５】
前記通路幅は、５００ｍｍ以上であり、前記幅方向中央部を中心とした前記角部の曲率は、２．０以下である請求項３記載の燃料電池システムの筐体構造。